(57)【特許請求の範囲】
【請求項１】
引き分け式となっている左右２個の引戸本体と、
これらの引戸本体を上吊り式とするために、ローラブラケットを介してこれらの引戸本体の上部に配置されているローラが係合しているガイドレールと、
無目本体、及びこの無目本体に対して開閉自在となっているとともに、前記左右２個の引戸本体と対応する左右方向の長さを有する点検カバーからなり、前記無目本体の内部に前記引戸本体の移動を案内するための前記ガイドレールが組み込まれている無目と、
前記引き分け式となっている前記左右２個の引戸本体の閉じ限位置と対応する位置において、前記無目本体の内部に不動部材となって配置されているブラケットと、
を有し、
前記ブラケットは、垂直下方又は略垂直下方へ延びる第１垂直面部と、この第１垂直面部の下端から水平又は略水平に前方へ延びる水平面部と、この水平面部の前端から垂直下方又は略垂直下方へ延びる第２垂直面部とを有し、これらの第１垂直面部と水平面部と第２垂直面部は、前記閉じ限位置に達しているときの前記左右２個の引戸本体に跨る左右方向の寸法を有するとともに、前記第１垂直面部は、前記ブラケットを前記無目本体の内部に不動部材として結合配置するための部分になっており、前記水平面部は、前記閉じ限位置に達しているときの前記左右２個の引戸本体の上面の上方に配置されていて、前記第２垂直面部は、これらの引戸本体の前方に配置されており、
前記第２垂直面部に、前記点検カバーが止め具により止められることを特徴とする引戸装置。
【請求項２】
請求項１に記載の引戸装置において、前記点検カバーの個数は、それぞれの前記引戸本体ごとに前記点検カバーが設けられた２個であることを特徴とする引戸装置。
【請求項３】
請求項１に記載の引戸装置において、前記点検カバーの個数は、それぞれの前記引戸本体について前記点検カバーが同じになった１個となっていることを特徴とする引戸装置。
【請求項４】
請求項１〜３のいずれかに記載の引戸装置において、前記水平面部には、前記２個の引戸本体のそれぞれに設けられたロック装置のストライク部材を挿入係合させるための係合部が設けられていることを特徴とする引戸装置。
【請求項５】
請求項１〜４のいずれかに記載の引戸装置において、前記ガイドレールには、前記閉じ限位置に達した前記左右２個の引戸本体を停止させるための停止部材が取り付けられていることを特徴とする引戸装置。
【請求項６】
請求項１〜４のいずれかに記載の引戸装置において、前記第１垂直面部の左右端部には、前記閉じ限位置に達した前記２個の引戸本体を停止させるためのストップ部材が取り付けられていることを特徴とする引戸装置。
【請求項７】
請求項１〜６のいずれかに記載の引戸装置において、前記第１垂直面部は、前記ブラケットの第２面部であって、前記水平面部は、前記ブラケットの第３面部であり、前記第２垂直面部は、前記ブラケットの第４面部であり、
前記ブラケットは、第１面部と、前記第２面部と、前記第３面部と、前記第４面部とからなり、水平又は略水平な前記第１面部の後端から垂直下方又は略垂直下方へ前記第２面部が延びており、
前記左右２個の引戸本体のそれぞれに、紐状部材の引張力により引戸本体を閉じ側へ自動的に移動させるための引張式駆動装置が設けられ、これらの駆動装置のケーシングから導出されている前記紐状部材の端部が、前記第１面部の下面に設けられたピン部材に係止されていることを特徴とする引戸装置。
【請求項８】
請求項７に記載の引戸装置装置において、前記ピン部材の個数は、それぞれの前記駆動装置の前記紐状部材ごとに前記ピン部材が設けられた２個となっていることを特徴とする引戸装置。
【請求項９】
請求項７に記載の引戸装置装置において、前記ピン部材の個数は、それぞれの前記駆動装置の前記紐状部材について前記ピン部材が同じになった１個となっていることを特徴とする引戸装置。
【発明の詳細な説明】
【０００１】
【発明の属する技術分野】
本発明は、引き分け式の２個の引戸本体を備えた引戸装置に係り、引戸本体が上方に配置された移動機構から吊り下げられた上吊り式の引戸装置に利用できるものである。
【０００２】
【背景技術】
建物を含む構築物の内部の部屋と廊下の間や部屋同士の間を開閉自在に仕切るため仕切り手段として引戸装置が用いられ、この引戸装置は、出入り口である開口部を開閉する引戸本体と、引戸本体を移動させるためのガイドレール等からなる移動機構とを有し、上吊り式引戸装置の場合には、移動機構が引戸本体の上方に配置され、この移動機構から引戸本体が吊り下げられている。
【０００３】
また、横幅が大きい開口部を引戸本体で開閉するためには、引き分け式となった２個の引戸本体を有する引戸装置が用いられ、このタイプの引戸装置では、引戸本体ごとに用意された２個の移動機構によりそれぞれの引戸本体が移動する。
【０００４】
このように、引き分け式の引戸本体ごとに用意された２個の移動機構によりそれぞれの引戸本体が移動するようになっている従来の引戸装置では、それぞれの移動機構ごとに、この移動機構を構成する構成部材及びこの部材を取り付けるための取付部材が用意され、これらを所定箇所に配置することにより、それぞれの移動機構が組立配置されている。
【０００５】
【発明が解決しようとする課題】
このため、従来の引き分け式引戸装置における移動機構は多数の部材を用いて構成されており、製造コストの低減及び組立配置作業の手間の削減のために、移動機構のための部材の個数を低減できるようにすることが望まれている。
【０００７】
本発明の目的は、少なくとも２個の引戸本体を移動させる移動機構のための部材の個数を低減できるようになる引戸装置を提供するところにある。
【０００８】
【課題を解決するための手段】
本発明に係る引戸装置は、引き分け式となっている左右２個の引戸本体と、これらの引戸本体を上吊り式とするために、ローラブラケットを介してこれらの引戸本体の上部に配置されているローラが係合しているガイドレールと、無目本体、及びこの無目本体に対して開閉自在となっているとともに、前記左右２個の引戸本体と対応する左右方向の長さを有する点検カバーからなり、前記無目本体の内部に前記引戸本体の移動を案内するための前記ガイドレールが組み込まれている無目と、前記引き分け式となっている前記左右２個の引戸本体の閉じ限位置と対応する位置において、前記無目本体の内部に不動部材となって配置されているブラケットと、を有し、前記ブラケットは、垂直下方又は略垂直下方へ延びる第１垂直面部と、この第１垂直面部の下端から水平又は略水平に前方へ延びる水平面部と、この水平面部の前端から垂直下方又は略垂直下方へ延びる第２垂直面部とを有し、これらの第１垂直面部と水平面部と第２垂直面部は、前記閉じ限位置に達しているときの前記左右２個の引戸本体に跨る左右方向の寸法を有するとともに、前記第１垂直面部は、前記ブラケットを前記無目本体の内部に不動部材として結合配置するための部分になっており、前記水平面部は、前記閉じ限位置に達しているときの前記左右２個の引戸本体の上面の上方に配置されていて、前記垂直面部は、これらの引戸本体の前方に配置されており、前記垂直面部に、前記点検カバーが止め具により止められることを特徴とするものである。
【０００９】
本発明において、点検カバーの個数は、それぞれの引戸本体ごとに点検カバーが設けられた２個とすることができ、また、それぞれの引戸本体について点検カバーが同じになった１個とすることもできる。
【００１０】
また、前記水平面部には、前記２個の引戸本体のそれぞれに設けられたロック装置のストライク部材を挿入係合させるための係合部が設けられているとすることができる。
【００１１】
さらに、前記ガイドレールには、前記閉じ限位置に達した前記左右２個の引戸本体を停止させるための停止部材が取り付けられているとすることができる。
【００１２】
また、前記第１垂直面部の右端部には、前記閉じ限位置に達した前記２個の引戸本体を停止させるためのストップ部材が取り付けられているとすることができれる。
【００１３】
また、前記第１垂直面部は、前記ブラケットの第２面部であって、前記水平面部は、前記ブラケットの第３面部であり、前記第２垂直面部は、前記ブラケットの第４面部であり、前記ブラケットは、第１面部と、前記第２面部と、前記第３面部と、前記第４面部とからなり、水平又は略水平な前記第１面部の後端から垂直下方又は略垂直下方へ前記第２面部が延びており、前記左右２個の引戸本体のそれぞれに、紐状部材の引張力により引戸本体を閉じ側へ自動的に移動させるための引張式駆動装置が設けられ、これらの駆動装置のケーシングから導出されている前記紐状部材の端部が、前記第１面部の下面に設けられたピン部材に係止されているとすることができる。
【００１４】
さらに、前記ピン部材の個数は、それぞれの駆動装置の紐状部材ごとにピン部材が設けられた２個とすることができ、それぞれの駆動装置の紐状部材についてピン部材が同じになった１個とすることもできる。
【００３４】
【発明の実施の形態】
以下に本発明の実施形態を図面に基づいて説明する。初めに、本実施形態に係る引戸装置の全体的構造及び作用について説明する。
【００３５】
図１は、本実施形態に係る引戸装置の全体を示す正面図である。この引戸装置は、引き分け式となっている２個の引戸本体１によって建物内の廊下と部屋との間を開閉自在に仕切るための室内用仕切り手段として設置され、引戸本体１は把持部１Ａを把持することにより左右動させることができ、左右動すると引戸本体１は、無目２と、壁４の見切り材となっているの左右の竪額縁３と、床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１の大部分が壁４の内部に収納される壁収納式の引戸装置になっている。
【００３６】
また、引戸装置の外枠組み体の基本構造は、無目２と、左右の竪額縁３と、それぞれの戸袋７の終端部に設けられた縦枠８とを含んで形成されている。
【００３７】
無目２は、無目本体２Ａと、止めねじ等の止め具２Ｃで取り付け、取り外し自在になっていて、この取り付け、取り外しで無目本体２Ａに対して開閉自在になっている左右２個の点検用カバー２Ｂとからなる。無目本体２Ａは、左右のそれぞれの戸袋７の終端部まで延びる長さを有し、それぞれの点検用カバー２Ｂは、無目本体２Ａの全長のうちの開口部６の半分の長さであって、開口部６内におけるそれぞれの引戸本体１の移動距離と対応する長さを有する。
【００３８】
以上の無目２の内部には、引戸本体１を移動させるための２個の移動機構Ａが引き分け式の２個の引戸本体１ごとに設けられ、これらの移動機構Ａは、引戸本体１の移動方向である左右方向に直列的に配設されている。
【００３９】
左右対称の形状及び構造となっているこれらの移動機構Ａのうちの図１の右側の移動機構Ａは、点検用カバー２Ｂを開けたときの無目本体２Ａの内部構造が示されている図２及び図３に示されている。図２は、移動機構Ａによって図１の右側の引戸本体１が閉じ限位置に達しているときを示し、図３は、この引戸本体１が開き限位置に達しているときを示す。図１の左側の移動機構Ａによる図１の左側の引戸本体１の移動原理は、図２及び図３で示す右側の移動機構Ａによる右側の引戸本体１の移動原理と同じである。
【００４０】
図２及び図３に示すように、無目本体２Ａの内部には引戸本体１の移動を案内するためのガイド部材であるガイドレール１０が組み込まれ、移動機構Ａを構成する部材であって、無目本体２Ａの略半分に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４１】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４２】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００４３】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００４４】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００４５】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００４６】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００４７】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材となって前記無目本体２Ａに取り付けられているブラケット９のピン部材３５に係止されている。
【００４８】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００４９】
したがって、本実施形態における引戸本体１を閉じ側へ自動的に移動させるための駆動装置３０は渦巻きばね式であるとともに、紐状部材３４の引張力による引張式駆動装置となっている。
【００５０】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５１】
引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５２】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００５３】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００５４】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００５５】
図３に示すように、ガイドレール１０における引戸本体閉じ側の端部には、引戸本体１の閉じ限位置を規定し、この位置で引戸本体１を停止させるための停止部材５０が取り付けられている。この停止部材５０は、ビス等の止着具５１でガイドレール１０に結合されたブラケット５０Ａと、このブラケット５０Ａに引戸本体１側に向けて取り付けられ、ゴム等の弾性材料で形成されたストップ部材５０Ｂとからなる。図２で示すとおり、このストップ部材５０Ｂに前記駆動装置３０のケーシング３０Ａが当接することにより、引戸本体１は閉じ限位置に達してその位置で停止する。
【００５６】
以上のことから、前記移動機構Ａは、不動部材となっているガイドレール１０や、可動部材である引戸本体１に取り付けられた駆動装置３０、さらにはガイドレール１０に取り付けられた制動装置４０、停止部材５０等によって構成されている。
【００５７】
以上の説明は図１の左右のうちの右側の移動機構Ａ及び引戸本体１についてであったが、左側の移動機構Ａ及び引戸本体１についての形状、構造は、図２及び図３で示したものと左右対称であって、引戸本体開閉移動に関する原理は図２及び図３で説明したものと同じになっている。
【００５８】
また、図２及び図３で示した駆動装置３０の紐状部材３４の端部が係止されるピン部材３５が設けられた前記ブラケット９は、図１の左右の移動機構Ａについて共通のものとなっている。図５はこのブラケット９の部分の拡大図であり、図５では、閉じ限位置に達している左右の引戸本体１が二点鎖線で示されている。
【００５９】
また、図６は、ブラケット９の斜視図である。この図６で示されているように、ブラケット９は板金の折り曲げ加工で製造され、水平又は略水平な第１面部９Ａと、第１面部９Ａの後端から垂直下方又は略垂直下方へ延びる第２面部９Ｂと、第２面部９Ｂの下端から水平又は略水平に前方へ延びる第３面部９Ｃと、第３面部９Ｃの前端から垂直下方又は略垂直下方へ延びる第４面部９Ｄとからなる。第１面部９Ａの下面には、左右２個の移動機構Ａにおける駆動装置３０の紐状部材３４の端部が係止されるピン部材３５が結合され、第３面部９Ｃには、左右２個の板状の係合部材５１がビス等の止着具５２で結合されている。これらの係合部材５１には円形の孔５３が形成されているとともに、孔５３と対応する第３面部の左右２箇所には半円形の欠部５４が形成されている。また、第４面部９Ｄには、左右２個のねじ孔５５が形成されている。
【００６０】
第２面部には左右２個の孔５６が形成され、図５に示すように、これらの孔５６に挿入されるビス等の止着具５７によってブラケット９が図４で示した取付部材１１に止着されることにより、ブラケット９は、左右２個のガイドレール１０の間において、無目本体２Ａに不動部材となって結合される。このように無目本体２Ａに取り付けられたブラケット９のピン部材３５には、駆動装置３０の紐状部材３４の端部が係止される。
【００６１】
また、引戸本体１が停止部材５０で規定される閉じ限位置に達したとき、引戸本体１に設けられているロック装置を操作すると、図５に示すように、このロック装置を構成しているストライク部材６０が引戸本体１の上面を越えて上昇し、断面円形の丸棒からなるこのストライク部材６０が図６で示した係合部材５１の孔５３及びブラケット９の欠部５４に挿入係合するようになっている。すなわち、図１で示すように、引戸本体１にはロック装置用鍵穴６１が設けられ、この鍵穴６１にキーを挿入して回動操作すると、ストライク部材６０が上下動し、上昇したストライク部材６０が係合部材５１の孔５３及びブラケット９の欠部５４に挿入係合することにより、閉じ限位置に達している引戸本体１はその位置でロックされる。
【００６２】
また、図１で示した無目２の点検カバー２Ｂは、このカバーに形成されている孔に挿入した前記止め具２Ｃのねじ軸部を図６のブラケット９のねじ孔５５に螺入することにより、カバー２Ｂにおける引戸本体閉じ側の端部が止められる。また、図２及び図３に示すように、前述した縦枠８にはねじ孔６２が形成された小突起６３が設けられ、このねじ孔６２に螺入される止め具２Ｃにより、カバー２Ｂにおける引戸本体開き側の端部が止められる。
【００６３】
このように点検カバー２Ｂは、カバー２Ｂの両端が止め具２Ｃで止められることにより、無目本体２Ａに閉じられて取り付けられ、これらの止め具２Ｃを取り外すことにより、カバー２Ｂを無目本体２Ａから取り外して開くことができる。カバー２Ｂを無目本体２Ａから取り外して開くと、無目本体２Ａの内部に配設されている移動機構Ａについての点検、修理等の作業を行えることになる。
【００６４】
以上説明したように、本実施形態によると、左右の移動機構Ａにおける引戸本体閉じ側の端部にはブラケット９が配置され、このブラケット９には、左右の移動機構Ａを構成する駆動装置３０の紐状部材３４を係止するための２個のピン部材３５が取り付けられ、これらのピン部材３５も左右の移動機構Ａを構成する構成部材となっているため、ブラケット９はこれらの構成部材が取り付けられた取付部材になっているとともに、ブラケット９は左右の移動機構Ａについて共通する共通部材となっている。
【００６５】
このため、それぞれのピン部材３５を無目本体２Ａに取り付けるために２個のブラケットを個別に設ける必要がなく、１個のブラケット９ですみ、それだけ左右の移動機構Ａのために用意しなければならない部材の個数を低減できる。また、ブラケット９は２個の移動機構Ａについて兼用化された１個であるため、ブラケット９を含むこれらの移動機構Ａについての組立作業の手間を少なくできる。
【００６６】
また、ブラケット９は、引き分け式となった左右２個の引戸本体１に設けられたロック装置のストライク部材６０が挿入係合する係合部材５１を備えたものとなっているため、ブラケット９は、これらの引戸本体１を停止部材５０で規定される閉じ側の停止位置でロックしておくためのロック装置を構成する構成部材ともなっている。このため、ブラケット９は、ロック装置を構成する構成部材を兼ねるものともなり、引戸装置のために製造、用意しなけれればないない部材の個数をそれだけ削減できる。
【００６７】
さらに、ブラケット９には、無目２の左右２個の点検カバー２Ｂを止めるため止め具２Ｃが螺入されるねじ孔５５が形成され、このねじ孔５５に止め具２Ｃを螺入することにより、無目本体２Ａに対して開閉自在となっているそれぞれのカバー２Ｂは閉じられるため、ブラケット９はこれらのカバー２Ｂを閉じておくためのカバー閉じ部材をも兼ねるものとなっている。このため、この点でも、引戸装置のために製造、用意しなけれればないない部材の個数をそれだけ削減できることとなる。
【００６８】
なお、図１では、点検カバー２Ｂは左右の移動機構Ａごととなった２個となっているが、この点検カバーを、２個のカバー２Ｂの合計分の長さとなった長寸の１個としてもよい。このようにした場合には、ブラケット９に形成するねじ孔５５は１個だけでよい。
【００６９】
図７は、左右の移動機構Ａについての共通部材となっているブラケットの別実施形態を示す。この実施形態に係るブラケット６９は、第１面部６９Ａの下面に１個のピン部材３５を有するものとなっており、このピン部材３５に、左右の移動機構Ａにおける駆動装置３０の２本の紐状部材３４の端部が共通して係止されている。
【００７０】
このため、この実施形態では、引戸本体１を移動させるための移動機構Ａを構成する構成部材となっているピン部材３５は、左右の移動機構Ａに共通する共通部材となっており、ブラケット９が左右の移動機構Ａについての共通部材となっていることを併せて、これらの移動機構Ａのための用意しなければならない部材の個数を前記実施形態よりも一層低減できる。
【００７１】
また、この実施形態では、ブラケット６９の第２面部６９Ｂの左右端部に前方へ突出した突起６９Ｅが形成され、これらの突起６９Ｅにゴム等の弾性材料で形成されたストップ部材７０が取り付けられ、これらのストップ部材７０に左右の引戸本体１に取り付けられている駆動装置３０のケーシング３０Ａが当接することにより、これらの引戸本体１が閉じ限位置に達して停止するようになっている。
【００７２】
このため、この実施形態のブラケット６９は、移動機構Ａにおける引戸本体閉じ側の端部に配置されて引戸本体１を閉じ位置で停止させるため停止部材を兼ねるものとなっているとともに、１個のブラケット６９で左右の引戸本体１を閉じ位置で停止させることができるため、このブラケット６９は、左右の移動機構Ａについて共通する停止部材ともなる。
【００７３】
図８は、左右の移動機構Ａについての共通部材となっているブラケットのさらなる別実施形態を示す。この実施形態に係るブラケット７９は、図７のブラケット６９よりも第３面部７９Ｃの左右長さが長くなっており、この第３面部７９Ｃに、引戸本体１のロック装置用ストライク部材６０が挿入係合する孔を形成している。
【００７４】
このため、この実施形態に係るブラケット７９には、図５及び図６で示された係合部材５１が取り付けられておらず、係合部材５１の省略によって部材の個数の低減が一層達成されている。
【００７５】
【発明の効果】
本発明によると、少なくとも２個の引戸本体を移動させる移動機構のための部材の個数を低減できるという効果を得られる。
【図面の簡単な説明】
【図１】本発明の一実施形態に係る引戸装置の全体を示す正面図である。
【図２】図１で示された無目の内部に配置されている移動機構を示す図であって、引戸本体が閉じ限位置に達しているときを示す図である。
【図３】図１で示された無目の内部に配置されている移動機構を示す図であって、引戸本体が開き限位置に達しているときを示す図である。
【図４】図１のＳ４−Ｓ４線断面図である。
【図５】左右２個の移動機構を構成する部材を取り付けるための取付部材となっている図２及び図３で示されたブラケットの部分の拡大図である。
【図６】図５のブラケットの斜視図である。
【図７】別実施形態に係るブラケットを示す図５と同様の図である。
【図８】さらなる別実施形態に係るブラケットを示す図５と同様の図である。
【符号の説明】
１  引戸本体
２  無目
２Ａ  無目本体
２Ｂ  無目のカバー
２Ｃ  止め具
９，６９，７９  移動機構を構成する部材が取り付けられた取付部材であって、２個の移動機構についての共通部材となっているブラケット
３０  駆動装置
３５  移動機構を構成する部材であって、駆動装置の紐状部材の端部が係止されるピン部材
４０  制動装置
５５  止め具が螺入されるねじ孔
６０  引戸本体を閉じ位置でロックするためのロック装置用ストライク部材
Ａ  移動機構
【図１】
0004860075.tif 000002
【図２】
0004860075.tif 000003
【図３】
0004860075.tif 000004
【図４】
0004860075.tif 000005
【図５】
0004860075.tif 000006
【図６】
0004860075.tif 000007
【図７】
0004860075.tif 000008
【図８】
0004860075.tif 000009